(57)【特許請求の範囲】
【請求項１】
ＬＴＥシステムにおけるＨｅＮＢアクセス方式の配置方法であって、ステップＡを含み、
前記ステップＡにおいて、発展型パケットコアＥＰＣの中の第１設備が、ＨｅＮＢに対してアクセス方式配置指令を送信し、前記アクセス方式配置指令には第１アクセス方式の情報が含まれており、前記アクセス方式配置指令は、自身のアクセス方式を前記第１アクセス方式に配置するように前記ＨｅＮＢに指示するためのものであることを特徴とする配置方法。
【請求項２】
前記アクセス方式配置指令には、前記第１アクセス方式に対応する実行時間閾値が更に含まれており、前記実行時間閾値は、前記自身のアクセス方式を現在の第２アクセス方式から前記第１アクセス方式に配置してからカウントを開始しカウント値が前記実行時間閾値に達したときに、前記自身のアクセス方式を前記第１アクセス方式から再び前記第２アクセス方式に配置するように前記ＨｅＮＢに指示するためのものであることを特徴とする請求項１に記載の配置方法。
【請求項３】
前記ステップＡに先立って、前記第１設備が、自身に接続する各前記ＨｅＮＢにより検出されたｅＮＢのセルの情報に基づいて、前記ｅＮＢのセルとｅＮＢのセルカバレッジ内の前記ＨｅＮＢとの対応関係を立て、
前記ステップＡにおいて、前記第１設備が第１ｅＮＢから、前記第１ｅＮＢのセルに過負荷が生じることを指示するための過負荷通知メッセージを受信すると、前記対応関係に基づいて、前記第１ｅＮＢのセルに対応する前記ＨｅＮＢを特定し、前記第１ｅＮＢのセルに対応する前記ＨｅＮＢに対して前記アクセス方式配置指令を送信し、かつ、前記アクセス方式配置指令に含まれる前記第１アクセス方式の情報が開放方式又はハイブリッド方式の情報であることを特徴とする請求項１に記載の配置方法。
【請求項４】
前記第１ｅＮＢのすべてのセルに過負荷が生じたことが前記過負荷通知メッセージにより指示されると、前記第１設備が更に前記対応関係に基づいて、前記第１ｅＮＢのすべてのセルに対応する前記ＨｅＮＢを特定し、前記第１ｅＮＢのすべてのセルに対応する前記ＨｅＮＢに対して前記アクセス方式配置指令を送信することを特徴とする請求項３に記載の配置方法。
【請求項５】
前記ステップＡに先立って、前記第１設備が、前記第１ＨｅＮＢのアクセス方式を前記第１アクセス方式に配置するように要求するためのアクセス方式配置要求をユーザ設備から受信し、
前記ステップＡにおいて、前記第１設備が、前記アクセス方式配置要求を受信すると、前記ユーザ設備に対して認証を行ない、前記ユーザ設備の認証通過後に、前記第１アクセス方式の情報が含まれる前記アクセス方式配置指令を前記第１ＨｅＮＢに対して送信することを特徴とする請求項１に記載の配置方法。
【請求項６】
前記第１設備は移動性管理実体ＭＭＥであり、前記ＭＭＥは、Ｓ１インタフェースにおいて、Ｓ１アプリケーションプロトコルを利用して前記アクセス方式配置指令を前記ＨｅＮＢに送信し、
又は、前記第１設備はＨｅＮＢ管理システムＨＭＳであり、前記ＨＭＳは、タイプ１インタフェースにおいて、ＴＲ０６９プロトコルを利用して前記アクセス方式配置指令を前記ＨｅＮＢに送信することを特徴とする請求項４又は５に記載の配置方法。
【請求項７】
ＬＴＥシステムにおけるＨｅＮＢアクセス方式の配置方法であって、ステップ１及びステップ２を含み、
前記ステップ１において、第１ＨｅＮＢが発展型パケットコアＥＰＣの中の第１設備から、第１アクセス方式の情報が含まれるアクセス方式配置指令を受信し、
前記ステップ２において、前記第１ＨｅＮＢが前記アクセス方式配置指令に基づいて自身のアクセス方式を前記第１アクセス方式に配置することを特徴とする配置方法。
【請求項８】
前記アクセス方式配置指令には、前記第１アクセス方式に対応する実行時間閾値が更に含まれており、前記第１ＨｅＮＢが更に前記アクセス方式配置指令に基づいて、前記自身のアクセス方式を現在の第２アクセス方式から前記第１アクセス方式に配置してからカウントを開始しカウント値が前記実行時間閾値に達したときに、前記自身のアクセス方式を前記第１アクセス方式から再び前記第２アクセス方式に配置することを特徴とする請求項７に記載の配置方法。
【請求項９】
前記ステップ２の実行後、ステップ３を更に含み、
前記ステップ３において、前記第１ＨｅＮＢが前記第１設備に対して、前記第１ＨｅＮＢによる前記自身のアクセス方式を前記第１アクセス方式に配置することに成功したか否かを指示するための配置応答メッセージを帰還することを特徴とする請求項８に記載の配置方法。
【請求項１０】
前記ステップ１に先立って、前記第１ＨｅＮＢがｅＮＢのセルを検出し、検出した前記ｅＮＢのセルの情報を前記第１設備に報告し、前記ｅＮＢのセルとｅＮＢのセルカバレッジ内のＨｅＮＢとの対応関係を立てるように前記第１設備に供し、前記対応関係は、前記第１ｅＮＢのセルに過負荷が生じるときに前記第１ｅＮＢのセルに対応するＨｅＮＢを選択して前記アクセス方式配置指令を配信するように前記第１設備に供するものであり、かつ、前記アクセス方式配置指令に含まれる前記第１アクセス方式の情報が開放方式又はハイブリッド方式の情報であることを特徴とする請求項８に記載の配置方法。
【請求項１１】
前記アクセス方式配置指令は、前記第１設備が、ユーザ設備から前記第１ＨｅＮＢのアクセス方式を前記第１アクセス方式に配置するように要求するためのアクセス方式配置指令を受信し、かつ前記ユーザ設備の認証通過後に、前記第１ＨｅＮＢに送信するものであることを特徴とする請求項８乃至１０のいずれか一項に記載の配置方法。
【請求項１２】
前記第１設備は移動性管理実体ＭＭＥ又はＨｅＮＢ管理システムＨＭＳであることを特徴とする請求項１１に記載の配置方法。
【請求項１３】
発展型パケットコアＥＰＣに設けられ、ＬＴＥシステムにおいてＨｅＮＢアクセス方式を配置する設備において、指令送信モジュールを含み、
前記指令送信モジュールは、ＨｅＮＢに対してアクセス方式配置指令を送信し、前記アクセス方式配置指令には第１アクセス方式の情報が含まれており、前記アクセス方式配置指令は、自身のアクセス方式を前記第１アクセス方式に配置するように前記ＨｅＮＢに指示するためのものであることを特徴とする設備。
【請求項１４】
前記アクセス方式配置指令には、前記第１アクセス方式に対応する実行時間閾値が更に含まれており、前記実行時間閾値は、前記自身のアクセス方式を現在の第２アクセス方式から前記第１アクセス方式に配置してからカウントを開始しカウント値が前記実行時間閾値に達したときに、前記自身のアクセス方式を前記第１アクセス方式から再び前記第２アクセス方式に配置するように前記ＨｅＮＢに指示するためのものであることを特徴とする請求項１３に記載の設備。
【請求項１５】
自設備に接続する各ＨｅＮＢにより検出されたｅＮＢのセルの情報に基づいて、前記ｅＮＢのセルとｅＮＢのセルカバレッジ内のＨｅＮＢとの対応関係を立てるための対応関係構築モジュールと、
第１ｅＮＢから、前記第１ｅＮＢのセルに過負荷が生じることを指示するための過負荷通知メッセージを受信すると、前記対応関係に基づいて、前記第１ｅＮＢのセルに対応する前記ＨｅＮＢを特定する過負荷処理もジュールと、を更に備え、
前記指令送信モジュールは更に、前記第１ｅＮＢのセルに対応するＨｅＮＢに対して前記アクセス方式配置指令を送信し、かつ、前記アクセス方式配置指令に含まれる前記第１アクセス方式の情報が開放方式又はハイブリッド方式の情報であることを特徴とする請求項１３に記載の設備。
【請求項１６】
前記第１ＨｅＮＢのアクセス方式を前記第１アクセス方式に配置するように要求するためのアクセス方式配置要求をユーザ設備から受信し、前記アクセス方式配置要求を受信すると、前記ユーザ設備に対して認証を行なう配置要求処理手段を更に備え、
前記指令送信モジュールは更に、前記ユーザ設備の認証通過後に、前記第１アクセス方式の情報が含まれる前記アクセス方式配置指令を前記第１ＨｅＮＢに対して送信することを特徴とする請求項１３乃至１５のいずれか一項に記載の設備。
【請求項１７】
前記設備は移動性管理実体ＭＭＥ又はＨｅＮＢ管理システムＨＭＳであることを特徴とする請求項１６に記載の設備。
【請求項１８】
ＬＴＥシステムにおけるＨｅＮＢにおいて、
発展型パケットコアＥＰＣの中の第１設備から、第１アクセス方式の情報が含まれるアクセス方式配置指令を受信する配置指令受信モジュールと、
前記アクセス方式配置指令に基づいて自身のアクセス方式を前記第１アクセス方式に配置するアクセス方式配置モジュールと、を備えることを特徴とするＨｅＮＢ。
【請求項１９】
前記アクセス方式配置指令には、前記第１アクセス方式に対応する実行時間閾値が更に含まれており、
前記アクセス方式配置モジュールは更に、前記アクセス方式配置指令に基づいて、前記自身のアクセス方式を現在の第２アクセス方式から前記第１アクセス方式に配置してからカウントを開始しカウント値が前記実行時間閾値に達したときに、前記自身のアクセス方式を前記第１アクセス方式から再び前記第２アクセス方式に配置することを特徴とする請求項１８に記載のＨｅＮＢ。
【請求項２０】
前記第１設備に対して、前記第１ＨｅＮＢによる前記自身のアクセス方式を前記第１アクセス方式に配置することに成功したか否かを指示するための配置応答メッセージを帰還するための配置応答モジュールを更に備えることを特徴とする請求項１８に記載のＨｅＮＢ。
【請求項２１】
セル検出モジュールを更に備え、
該セル検出モジュールは、ｅＮＢのセルを検出し、検出した前記ｅＮＢのセルの情報を前記第１設備に報告し、前記ｅＮＢのセルとｅＮＢのセルカバレッジ内のＨｅＮＢとの対応関係を立てるように前記第１設備に供し、前記対応関係は、第１ｅＮＢのセルに過負荷が生じるときに前記第１ｅＮＢに対応するＨｅＮＢを選択して前記アクセス方式配置指令を配信するように前記第１設備に供するものであり、かつ、前記アクセス方式配置指令に含まれる前記第１アクセス方式の情報が開放方式又はハイブリッド方式の情報であることを特徴とする請求項１８に記載のＨｅＮＢ。
【請求項２２】
前記アクセス方式配置指令は、前記第１設備が、ユーザ設備から自ＨｅＮＢのアクセス方式を前記第１アクセス方式に配置するように要求するためのアクセス方式配置指令を受信し、かつ前記ユーザ設備の認証通過後に、前記自ＨｅＮＢに送信するものであることを特徴とする請求項１８乃至２１のいずれか一項に記載のＨｅＮＢ。
【発明の詳細な説明】
【技術分野】
【０００１】
本発明は、移動通信技術分野の長期進化ＬＴＥ（Long Term Evolution）システムに関し、特にＬＴＥシステムにおけるＨｅＮＢ（Home Evolved NodeB）アクセス方式の配置方法及び対応する設備に関する。
【背景技術】
【０００２】
ＬＴＥは、発展が著しいＷＩＭＡＸ（Worldwide Interoperability for Microwave Access）に応対するために、３ＧＰＰによる長期進化研究プロジェクトであり、主に３ＧＰＰのパケット域システムの進化に関する。進化パケットシステムＥＰＳ（Evolved Packet System）は３ＧＰＰ開発のＬＴＥに基づくネットワークストラクチャーである。ＥＰＳストラクチャーは、図１に示すように、Ｅ−ＵＴＲＡＮ（Evolved-Universal Terrestrial Radio Access Network）と発展型パケットコアＥＰＣ（Evolved Packet Core）を含む。
【０００３】
図１に示すように、ＥＰＣは移動性管理実体ＭＭＥ（Mobility Management Entity）、ＳＧＷ（Serving Gateway）、ＰＧＷ（Packet Data Network Gateway）及びＨＳＳ（Home Subscriber Server）を含む。
【０００４】
ＭＭＥは、ＥＰＳの制御プレーンネットワーク実体であり、主にユーザ設備ＵＥ（User Equipment）の移動性管理、セッション管理、非アクセス層シグナリングの処理及びセキュリティ・暗号化機能、シグナリングの合法な監視、ＰＧＷ／ＳＧＷ／ＭＭＥの選択機能、アラームメッセージ伝送、アラームメッセージに合った基地局（Evolved NodeB）又はＨｅＮＢ（Home Evolved NodeB）の選択などを実行する。ＭＭＥはＳ１‐ＭＭＥインタフェースを介してｅＮＢ／ＨｅＮＢに接続し、Ｓ１アプリケーションプロトコルＳ１ＡＰ（S1 Application Protocol）を介してｅＮＢ／ＨｅＮＢと制御プレーン情報を交換し、ｅＮＢ／ＨｅＮＢの関連パラメータの設定を行なう。
【０００５】
ＳＧＷはＥＰＳのユーザプレーンネットワーク実体であり、ｅＮＢ／ＨｅＮＢ間ハンドオーバの移動性アンカーポイントであり、３ＧＰＰシステム間ハンドオーバの移動性アンカーポイントでもあり、パケットのルーティングと転送機能、ユーザプレーンの合法な監視、空き状態ユーザ設備の下りデータバッファリング、ローミング時ホームルーティングデータの上り／下り課金などの機能を実行する。ＳＧＷはＳ１−Ｕインタフェースを介してｅＮＢ／ＨｅＮＢに接続し、Ｓ１−ＵインタフェースにおけるプロトコルがｅＧＴＰ（Evolved GRPS Tunneling Protocol）である。
【０００６】
ＰＧＷはＥＰＳネットワークとパケットデータネットワークに接続するゲートウェイであり、主に上り／下りデータストリームの閾値制御、ユーザ設備に対するＩＰアドレスの割り当て、合法な監視などを処理する。ＨＳＳは、ユーザの識別子、携帯電話番号、各種類契約のサービス品質ＱｏＳ（Quality of Service）パラメータ、サービスユーザのＭＭＥ及びＰＧＷのアドレスなどが含まれるユーザの契約データを保存するために用いられるものである。
【０００７】
Ｅ−ＵＴＲＡＮはｅＮＢとＨｅＮＢの二種類のネットワーク実体を含み、主にエアインタフェース上の基地局とユーザ設備との間のユーザプレーンと制御プレーンプロトコルの処理とデータ伝送に用いる。ＨｅＮＢは、プロバイダーが家庭、オフィス、商業センタ又は企業などの場所に室内カバーを提供するための基地局であり、例えばＡＤＳＬ（Asymmetric Digital Subscriber Line）のブロードバンドアクセス技術又は光ファイバーを利用してプロバイダーのコアネットワークにアクセスする。
【０００８】
通常、ＨｅＮＢは、あるグループの特定ユーザに提供した非公共資源であり、該グループのユーザが同じくある特定した閉鎖ユーザグループＣＳＧ（Closed Subscriber Group）に属する。ＨｅＮＢは、開放方式（Open Mode）、閉鎖方式（Closed Mode）及びハイブリッド方式（Hybrid Mode）の三種類のアクセス方式（Access Mode）を有する。開放方式の場合、ＨｅＮＢは、ｅＮＢと相違が無く、すべてのユーザからアクセスすることができ、アクセスしたユーザがＣＳＧユーザかそれとも非ＣＳＧユーザかは、ネットワークにより区別されない。閉鎖方式の場合、ＣＳＧユーザしかＨｅＮＢにアクセスできない。ハイブリッド方式の場合、すべてのユーザからＨｅＮＢにアクセスできるが、必要な受け入れ制御又はＱｏＳ制御を行なうことを考慮し、ＨｅＮＢにアクセスしたのがＣＳＧユーザかそれとも非ＣＳＧユーザかについて、ネットワークにより区別される必要がある。
【０００９】
ＨｅＮＢのネットワークストラクチャーはＥＰＳネットワークストラクチャーに基づく。ＨｅＮＢはＣＰＮ（Customer Premise Network）に位置しており、ユーザとネットワークの需要を適応するために、プロバイダーにより管理と配置を行なう必要がある。３ＧＰＰネットワーク進化過程において、ネットワーク管理実体であるＨｅＮＢ管理システムＨＭＳ（HeNB Management System）を導入してＨｅＮＢに対する管理と配置を行なう。図２に示すように、ＨＭＳはタイプ１インタフェース（Type 1 Interface）を介してＨｅＮＢと通信し、パラメータの伝送又はファイルの配置を行なう。ＨｅＮＢはＨｅＮＢゲートウェイを介してＥＰＣにアクセスすることもできる。ＨｅＮＢゲートウェイは、セキュリティの認証、Ｓ１接続の集約及びＥＰＣへの影響を遮断するなどの機能を実行する。ＨｅＮＢゲートウェイは、ＨｅＮＢとＥＰＣに対して透明であり、ＨｅＮＢゲートウェイの配置も選択可能であり、ＨｅＮＢとＥＰＣとの間のメッセージを透明に伝送する。
【００１０】
ＬＴＥ配置では、家庭エリア内のほかに、ＨｅＮＢは百貨店、本屋、スーパー、体育館、学校、ホテルなど公共場所にも大量に配置される。これらのエリアには同時にｅＮＢによるカバーも有する。ｅＮＢは広域のカバーレッジを提供し、信号カバーの脆弱性を減少する。このとき、ＨｅＮＢは強いカバーを提供し、重点的に室内エリアとホットポイントの商業エリアをカバーする。
【００１１】
従来技術のＨｅＮＢは通常一種類のアクセス方式の元で稼動する。ＨｅＮＢアクセス方式の変更をどのように制御するについては、従来技術においていまだに対応な技術案が提案されていない。
【発明の概要】
【発明が解決しようとする課題】
【００１２】
本発明の実施例により解決しようとする技術課題は、コアネットワークの中の設備によりＨｅＮＢアクセス方式の制御を実現した、ＬＴＥにおけるＨｅＮＢアクセス方式の配置情報及び設備を提供することである。
【課題を解決するための手段】
【００１３】
上記技術課題を解決するために、本発明の実施例の提案は下記のとおりである。
【００１４】
ＬＴＥシステムにおけるＨｅＮＢアクセス方式の配置方法であって、ステップＡを含み、ステップＡにおいて、ＥＰＣの中の第１設備が、ＨｅＮＢに対してアクセス方式配置指令を送信し、上記アクセス方式配置指令には第１アクセス方式の情報が含まれており、上記アクセス方式配置指令は、自身のアクセス方式を上記第１アクセス方式に配置するように上記ＨｅＮＢに指示するためのものである。
【００１５】
好ましくは、上記配置方法において、上記アクセス方式配置指令には、上記第１アクセス方式に対応する実行時間閾値が更に含まれており、上記実行時間閾値は、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置するように上記ＨｅＮＢに指示するためのものである。
【００１６】
好ましくは、上記配置方法において、上記ステップＡに先立って、上記第１設備が、自身に接続する各ＨｅＮＢにより検出されたｅＮＢのセルの情報に基づいて、ｅＮＢのセルとｅＮＢのセルカバレッジ内のＨｅＮＢとの対応関係を立て、上記ステップＡにおいて、第１設備が第１ｅＮＢから、第１ｅＮＢのセルに過負荷が生じることを指示するための過負荷通知メッセージを受信すると、上記対応関係に基づいて、上記第１ｅＮＢのセルに対応するＨｅＮＢを特定し、上記第１ｅＮＢのセルに対応するＨｅＮＢに対して上記アクセス方式配置指令を送信し、かつ、上記アクセス方式配置指令に含まれる上記第１アクセス方式の情報が開放方式又はハイブリッド方式の情報である。
【００１７】
好ましくは、上記配置方法において、上記第１ｅＮＢのすべてのセルに過負荷が生じたことが上記過負荷通知メッセージにより指示されると、第１設備が更に上記対応関係に基づいて、上記第１ｅＮＢのすべてのセルに対応するＨｅＮＢを特定し、上記第１ｅＮＢのすべてのセルに対応するＨｅＮＢに対して上記アクセス方式配置指令を送信する。
【００１８】
好ましくは、上記配置方法において、上記ステップＡに先立って、上記第１設備が、上記第１ＨｅＮＢのアクセス方式を上記第１アクセス方式に配置するように要求するためのアクセス方式配置要求をユーザ設備から受信し、上記ステップＡにおいて、第１設備が、上記アクセス方式配置要求を受信すると、上記ユーザ設備に対して認証を行ない、上記ユーザ設備の認証通過後に、上記第１アクセス方式の情報が含まれる上記アクセス方式配置指令を上記第１ＨｅＮＢに対して送信する。
【００１９】
好ましくは、上記配置方法において、上記第１設備はＭＭＥであり、上記ＭＭＥは、Ｓ１インタフェースにおいて、Ｓ１アプリケーションプロトコルを利用して上記アクセス方式配置指令を上記ＨｅＮＢに送信し、又は、上記第１設備はＨｅＮＢ管理システムＨＭＳであり、上記ＨＭＳは、タイプ１インタフェースにおいて、ＴＲ０６９プロトコルを利用して上記アクセス方式配置指令を上記ＨｅＮＢに送信する。
【００２０】
本発明の実施例は更に別のＬＴＥシステムにおけるＨｅＮＢアクセス方式の配置方法を提供する。該配置方法であって、ステップ１及びステップ２を含み、ステップ１において、第１ＨｅＮＢが発展型パケットコアＥＰＣの中の第１設備から、第１アクセス方式の情報が含まれるアクセス方式配置指令を受信し、ステップ２において、上記第１ＨｅＮＢが上記アクセス方式配置指令に基づいて自身のアクセス方式を上記第１アクセス方式に配置する。
【００２１】
好ましくは、上記配置方法において、上記アクセス方式配置指令には、上記第１アクセス方式に対応する実行時間閾値が更に含まれており、上記第１ＨｅＮＢが更に上記アクセス方式配置指令に基づいて、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置する。
【００２２】
好ましくは、上記配置方法において、上記ステップ２の実行後、ステップ３を更に含み、ステップ３において、上記第１ＨｅＮＢが上記第１設備に対して、上記第１ＨｅＮＢによる自身のアクセス方式を上記第１アクセス方式に配置することに成功したか否かを指示するための配置応答メッセージを帰還する。
【００２３】
好ましくは、上記配置方法において、上記ステップ１に先立って、上記第１ＨｅＮＢがｅＮＢのセルを検出し、検出したｅＮＢのセルの情報を上記第１設備に報告し、ｅＮＢのセルとｅＮＢのセルカバレッジ内のＨｅＮＢとの対応関係を立てるように上記第１設備に供し、上記対応関係は、第１ｅＮＢのセルに過負荷が生じるときに第１ｅＮＢのセルに対応するＨｅＮＢを選択して上記アクセス方式配置指令を配信するように上記第１設備に供するものであり、かつ、上記アクセス方式配置指令に含まれる上記第１アクセス方式の情報が開放方式又はハイブリッド方式の情報である。
【００２４】
好ましくは、上記配置方法において、上記アクセス方式配置指令は、上記第１設備が、ユーザ設備から上記第１ＨｅＮＢのアクセス方式を上記第１アクセス方式に配置するように要求するためのアクセス方式配置指令を受信し、かつ上記ユーザ設備の認証通過後に、上記第１ＨｅＮＢに送信するものである。
【００２５】
好ましくは、上記配置方法において、上記第１設備は移動性管理実体ＭＭＥ又はＨｅＮＢ管理システムＨＭＳである。
【００２６】
本発明の実施例は、対応的に、発展型パケットコアＥＰＣに設けられ、ＬＴＥシステムにおいてＨｅＮＢアクセス方式を配置する設備を提供する。該設備において、指令送信モジュールを含み、指令送信モジュールは、ＨｅＮＢに対してアクセス方式配置指令を送信し、上記アクセス方式配置指令には第１アクセス方式の情報が含まれており、上記アクセス方式配置指令は、自身のアクセス方式を上記第１アクセス方式に配置するように上記ＨｅＮＢに指示するためのものである。
【００２７】
好ましくは、上記設備において、上記アクセス方式配置指令には、上記第１アクセス方式に対応する実行時間閾値が更に含まれており、上記実行時間閾値は、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置するように上記ＨｅＮＢに指示するためのものである。
【００２８】
好ましくは、上記設備において、自設備に接続する各ＨｅＮＢにより検出されたｅＮＢのセルの情報に基づいて、ｅＮＢのセルとｅＮＢのセルカバレッジ内のＨｅＮＢとの対応関係を立てるための対応関係構築モジュールと、第１ｅＮＢから、第１ｅＮＢのセルに過負荷が生じることを指示するための過負荷通知メッセージを受信すると、上記対応関係に基づいて、上記第１ｅＮＢのセルに対応するＨｅＮＢを特定する過負荷処理もジュールと、を更に備え、上記指令送信モジュールは更に、上記第１ｅＮＢのセルに対応するＨｅＮＢに対して上記アクセス方式配置指令を送信し、かつ、上記アクセス方式配置指令に含まれる上記第１アクセス方式の情報が開放方式又はハイブリッド方式の情報である。
【００２９】
好ましくは、上記設備において、上記第１ＨｅＮＢのアクセス方式を上記第１アクセス方式に配置するように要求するためのアクセス方式配置要求をユーザ設備から受信し、上記アクセス方式配置要求を受信すると、上記ユーザ設備に対して認証を行なう配置要求処理手段を更に備え、上記指令送信モジュールは更に、上記ユーザ設備の認証通過後に、上記第１アクセス方式の情報が含まれる上記アクセス方式配置指令を上記第１ＨｅＮＢに対して送信する。
【００３０】
好ましくは、上記設備が前記設備は移動性管理実体ＭＭＥ又はＨｅＮＢ管理システムＨＭＳである。
【００３１】
本発明の実施例は更にＬＴＥシステムにおけるＨｅＮＢを提供する。該ＨｅＮＢにおいて、発展型パケットコアＥＰＣの中の第１設備から、第１アクセス方式の情報が含まれるアクセス方式配置指令を受信する配置指令受信モジュールと、上記アクセス方式配置指令に基づいて自身のアクセス方式を上記第１アクセス方式に配置するアクセス方式配置モジュールと、を備える。
【００３２】
好ましくは、上記ＨｅＮＢにおいて、上記アクセス方式配置指令には、上記第１アクセス方式に対応する実行時間閾値が更に含まれており、上記アクセス方式配置モジュールは更に、上記アクセス方式配置指令に基づいて、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置する。
【００３３】
好ましくは、上記ＨｅＮＢにおいて、上記第１設備に対して、上記第１ＨｅＮＢによる自身のアクセス方式を上記第１アクセス方式に配置することに成功したか否かを指示するための配置応答メッセージを帰還するための配置応答モジュールを更に備える。
【００３４】
好ましくは、上記ＨｅＮＢにおいて、セル検出モジュールを更に備え、該セル検出モジュールは、ｅＮＢのセルを検出し、検出したｅＮＢのセルの情報を上記第１設備に報告し、ｅＮＢのセルとｅＮＢのセルカバレッジ内のＨｅＮＢとの対応関係を立てるように上記第１設備に供し、上記対応関係は、第１ｅＮＢのセルに過負荷が生じるときに第１ｅＮＢに対応するＨｅＮＢを選択して上記アクセス方式配置指令を配信するように上記第１設備に供するものであり、かつ、上記アクセス方式配置指令に含まれる上記第１アクセス方式の情報が開放方式又はハイブリッド方式の情報である。
【００３５】
好ましくは、上記ＨｅＮＢにおいて、上記アクセス方式配置指令は、上記第１設備が、ユーザ設備から自ＨｅＮＢのアクセス方式を上記第１アクセス方式に配置するように要求するためのアクセス方式配置指令を受信し、かつ上記ユーザ設備の認証通過後に、自ＨｅＮＢに送信するものである。
【００３６】
上述から分かるように、本発明実施例のＬＴＥシステムにおけるＨｅＮＢアクセス方式の配置方法及び設備によれば、コアネットワークがＨｅＮＢのアクセス方式に対して制御可能になり、プロバイダーがネットワークの負荷情況とユーザの需要に応じてＨｅＮＢのアクセス方式を柔軟に配置でき、移動通信ネットワークに対するＨｅＮＢの価値を高め、ユーザの満足度を向上させることができる。また、本発明の実施例において実行時間閾値を設定することにより、ＨｅＮＢの所望アクセス方式における稼働時間を指示し、時間に達すると元のアクセス方式にハンドオーバすることができるため、コアネットワークから再び関連シグナリングを送信することを必要としないので、アクセス方式の配置処理を簡単化しており、配置過程において必要とされるシグナリングの数を軽減している。本発明の実施例は、ハイブリッド方式と開放方式におけるＨｅＮＢの潜在力を充分に発掘し、ネットワークの価値向上に貢献しており、ｅＮＢとＨｅＮＢとを関連付けることにより、ネットワークの活力を増加している。
【発明の効果】
【００３７】
本発明によれば、コアネットワークの中の設備によりＨｅＮＢアクセス方式の制御を実現した、ＬＴＥにおけるＨｅＮＢアクセス方式の配置情報及び設備を提供することができる。
【図面の簡単な説明】
【００３８】
【図１】図１は、従来技術のＥＰＳストラクチャーを示す図面である。
【図２】図２は、従来技術のＨＭＳとＨｅＮＢの接続を示す図面である。
【図３】図３は、本発明の実施例によるＨｅＮＢアクセス方式配置方法のフローを示す図面である。
【図４】図４は、本発明の別の実施例によるＨｅＮＢアクセス方式配置方法のフローを示す図面である。
【図５】図５は、本発明の実施例における、ＨｅＮＢとｅＮＢのセル間対応関係構築を示す図面である。
【図６】図６は、本発明の別の実施例における、ＨｅＮＢとｅＮＢのセル間対応関係構築を示す図面である。
【図７】図７は、本発明のまた別の実施例によるＨｅＮＢアクセス方式配置方法のフローを示す図面である。
【図８】図８は、本発明の実施例によるＨｅＮＢアクセス方式配置設備の構造を示す図面である。
【図９】図９は、本発明の実施例によるＨｅＮＢの構造を示す図面である。
【発明を実施するための形態】
【００３９】
本発明は、コアネットワークの中の設備によりＨｅＮＢアクセス方式の制御を実現した、ＬＴＥにおけるＨｅＮＢアクセス方式の配置情報及び設備を提案している。次に、図面を参照しながら、具体的な実施例を通じて本発明を詳しく説明する。
【００４０】
ＬＴＥシステムの稼動中に、ＬＴＥが主にＶｏＩＰ（Voice  over  Internet  Protocol）とデータサービスを提供するため、多くのホットポイントではセルの過負荷が生じやすく、ネットワークの輻輳、ユーザのアクセス失敗などの問題につながる。同時にこれらのホットポイントでは多くのＨｅＮＢも存在しており、一部のＨｅＮＢは、スーパー、デパート、百貨店、商業センタなどの公共場所に配置し、しかもその多くは閉鎖方式の元で稼動している。これらのＨｅＮＢの無線資源がホットポイントエリアの負荷均衡に用いることができず、マクロセルの負荷を軽減させることができないので、ＨｅＮＢは閉鎖方式からハイブリッド方式又は開放方式に変更する必要がある。また、セルの過負荷から復帰してＨｅＮＢの負荷均衡完成後に、ＨｅＮＢを再び閉鎖方式にハンドオーバする必要もある。
【００４１】
例えば、ある会社または家庭という環境におけるＨｅＮＢは、会社間／家庭間の会議、小規模の集い又は休日などの場合に、大量な非ＣＳＧユーザのアクセスを許可しなければならないことはよくある。これらの非ＣＳＧユーザをすべて該ＨｅＮＢが所属するＣＳＧに加えるのであれば、作業量が膨大となる。また、これらの非ＣＳＧユーザがＣＳＧユーザになった後、比較的大きい権限を持つこととなり、或いは一部の機密情報に触れる可能性がある。これは会社や家庭にとって好ましくないことである。この場合、ＨｅＮＢの所有者はＨｅＮＢがハイブリッド方式において稼動することを希望する。それにより、非ＣＳＧユーザによるＨｅＮＢへのアクセスを許可できるだけではなく、ＨｅＮＢが異なったタイプのユーザを区分することができ、そのうえ受け入れ制御を行なうことで、非ＣＳＧユーザを内部ネットワークから隔離することができる。会議、集い又は休日終了後に、ＨｅＮＢのアクセス方式を再び閉鎖方式にハンドオーバする。
【００４２】
上記需要を満足するために、本発明の実施例は、コアネットワークの中の設備によりＨｅＮＢアクセス方式配置の制御を実現する、ＨｅＮＢアクセス方式の配置方法を提供する。そのメリットとして、ＨｅＮＢがＣＰＮの中の設備であるものの、ＨｅＮＢのアクセス方式がＬＴＥネットワークのカバーレッジに影響を及ぼし、コアネットワークしかＬＴＥネットワークのカバーレッジ情況及び各セルにおけるサービスのビジー状態を把握していないため、コアネットワークしか現在のネットワークのカバーレッジ情況及び各セルにおけるサービスのビジー状態に基づいてＨｅＮＢのアクセス方式を適切に制御することができない。また、ユーザからＨｅＮＢアクセス方式の変更を要求するとき、ＨｅＮＢ管理者以外の者がＨｅＮＢのアクセス方式を随意に変更することを防止するために、コアネットワークは、ユーザの認証を行なうことができる。
【００４３】
図３は、本発明の実施例によるＬＴＥシステムにおけるＨｅＮＢアクセス方式の配置方法を示す図面である。該配置方法は、ステップ３１とステップ３２とステップ３３とを含む。
【００４４】
ステップ３１において、ＥＰＣの中の第１設備が、ＨｅＮＢに対してアクセス方式配置指令を送信する。上記アクセス方式配置指令には第１アクセス方式の情報が含まれている。上記アクセス方式配置指令は、自身のアクセス方式を上記第１アクセス方式に配置するように上記ＨｅＮＢに指示するためのものである。上記第１アクセス方式は、閉鎖方式、開放方式及びハイブリッド方式のうちの一種である。
【００４５】
ステップ３２において、ＨｅＮＢは、上記アクセス方式配置指令を受信し、受信した上記アクセス方式配置指令に基づいて、自身のアクセス方式を現在の第２アクセス方式から上記第１アクセス方式に配置する。
【００４６】
ステップ３３において、ＨｅＮＢは上記第１設備に対して、上記ＨｅＮＢによる自身のアクセス方式を上記第１アクセス方式に配置することに成功したか否かを指示するための配置応答メッセージを帰還する。
【００４７】
好ましくは、上記アクセス方式配置指令には、上記第１アクセス方式に対応する実行時間閾値が更に含まれてもよい。上記実行時間閾値は、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置するように上記ＨｅＮＢに指示するためのものである。そして、上記ステップ３２において、上記ＨｅＮＢは、更に上記アクセス方式配置指令に基づいて、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置することができる。その意義として、コアネットワークが負荷の均衡や一時的な用途のためにＨｅＮＢのアクセス方式を変更する場合に、通常、ＨｅＮＢは該アクセス方式において一定期間稼動することが要求されるが、該カウンタを配置しなければ、一定期間後に、ＥＰＣは元のアクセス方式に復帰するようにＨｅＮＢにメッセージをあらためて送信しなければならない可能性があるので、明らかにシグナリング資源の浪費につながる。実行時間閾値の具体的な数値について、具体的な応用環境に応じて、例えば、二時間、一日、半月と決めてもよい。
【００４８】
本実施例の上記第１設備はＭＭＥ又はＨＭＳである。上記第１設備はＭＭＥである場合、ステップ３１において、ＭＭＥは、Ｓ１インタフェースにおいてＳ１アプリケーションプロトコルを利用して上記アクセス方式配置指令を上記ＨｅＮＢに送信する。上記第１設備はＨＭＳである場合、ＨＭＳは、タイプ１インタフェースにおいてＤＳＬ（Digital Subscriber Line）フォーラムのＴＲ０６９プロトコルを利用して上記アクセス方式配置指令を上記ＨｅＮＢに送信する。
【００４９】
上記記載から分かるように、本実施例では、コアネットワークがＨｅＮＢのアクセス方式を配置することにより、コアネットワークはネットワークの負荷情況又はユーザの要求に応じてＨｅＮＢのアクセス方式を制御することができる。次の実施例は、コアネットワークの中のＭＭＥがｅＮＢセルの過負荷状況に応じて対応するＨｅＮＢのアクセス方式を制御することを例としてより詳しく説明する。
【００５０】
図４に示すように、本実施例によるＨｅＮＢアクセス方式の配置方法において、下記のステップを含む。
【００５１】
ステップ４１において、ＭＭＥに接続される各ＨｅＮＢは、各々で検出したｅＮＢのセルの情報をＭＭＥに報告し、ＭＭＥは、各ＨｅＮＢから報告されたｅＮＢのセルの情報に基づいて、ｅＮＢのセルとｅＮＢのセルカバレッジ内のＨｅＮＢとの対応関係を立てる。
【００５２】
ここで、ＨｅＮＢがあるｅＮＢのセルを検出した場合、ＨｅＮＢは該ｅＮＢのセルの信号を受信可能であり、即ちＨｅＮＢは該ｅＮＢのセルのカバレッジ内にあることを意味する。よって、ＭＭＥがあるＨｅＮＢから報告されたｅＮＢのセルを受信すると、該ＨｅＮＢと該ＨｅＮＢから報告されたｅＮＢのセルとの対応関係を立てる。明らかに、あるｅＮＢのセルのカバレッジ内にＨｅＮＢが複数存在する可能性があるため、ＨｅＮＢとｅＮＢのセルとの間は、複数対一の対応関係であってもよい。ＨｅＮＢは、自ＨｅＮＢがパワーオン・セルフテストを実行した後に、ネットワーク検索操作を実行することにより、ｅＮＢのセルの情報を検出して、ＭＭＥに登録する際に送信した登録要求を利用して、本ＨｅＮＢで検出したｅＮＢのセルの情報を携帯することができる。例えば、ＨｅＮＢがあるｅＮＢのセルのＥＣＧＩ（E-UTRAN Cell Global ID）を受信すると、該ｅＮＢのセルを検出したとする。ＥＣＧＩは一つのｅＮＢのセルを一義的に標識できる。また、ＥＣＧＩを解析することにより該ｅＮＢのセルに対応するｅＮＢを特定することもできる。よって、ＨｅＮＢが自己検出したｅＮＢのセルを報告するとき、自己検出したｅＮＢのセルのＥＣＧＩを報告すればよい。他に、ＭＭＥが後続のアクセス配置において該ＨｅＮＢに適切なアクセス方式を配置できるように、ＨｅＮＢは自ＨｅＮＢがサポートするアクセス方式もＭＭＥに報告してもよい。
【００５３】
ステップ４２において、ＭＭＥは、第１ｅＮＢから、第１ｅＮＢのセルに過負荷が生じることを指示するための過負荷通知メッセージを受信すると、上記対応関係に基づいて、上記第１ｅＮＢのセルに対応するＨｅＮＢを特定し、上記第１ｅＮＢのセルに対応するＨｅＮＢに対して上記アクセス方式配置指令を送信し、上記第１ｅＮＢのセルに対応するＨｅＮＢに対して自身のアクセス方式を開放方式又はハイブリッド方式に配置するように指示する。上記アクセス方式配置指令には、実行時間閾値が更に含まれる。
【００５４】
ここで、第１ｅＮＢが自セルの過負荷を検出した場合、過負荷通知メッセージをＭＭＥに送信する。第１ｅＮＢの一つ（又は一部）のセルに過負荷が生じる場合、該過負荷通知メッセージには、これらの過負荷のセルのＥＣＧＩが含まれる。第１ｅＮＢのすべてのセルに過負荷が生じる場合、該過負荷通知メッセージには、いかなるセルのＥＣＧＩも含まれておらず、第１ｅＮＢのすべてのセルに過負荷が生じたことが指示される。
【００５５】
ＭＭＥは、第１ｅＮＢからの過負荷通知メッセージを受信すると、プロバイダーのポリシー配置に応じて、負荷均衡のためにＨｅＮＢアクセス方式変更操作を行なうか否かを決定する。該操作の実施を決定する場合、過負荷通知メッセージの中のＥＣＧＩパラメータ及び上記対応関係に基づいて、関連するＨｅＮＢを選択する。過負荷通知メッセージにはＥＣＧＩが含まれる場合、ＭＭＥはこれらのＥＣＧＩに対応するＨｅＮＢを選択するが、特定なＥＣＧＩが含まれていない場合、第１ｅＮＢのすべてのセルに対応するＨｅＮＢを選択する。
【００５６】
ステップ４３において、上記第１ｅＮＢのセルに対応するＨｅＮＢは、ＭＭＥから送信された上記アクセス方式配置指令を受信し、受信した上記アクセス方式配置指令に基づいて、自身のアクセス方式を閉鎖方式から開放方式又はハイブリッド方式に配置し、ＭＭＥに配置応用メッセージを帰還する。自身のアクセス方式を開放方式又はハイブリッド方式に配置してからカウントを開始し、カウント値が上記実行時間閾値に達したときに自身のアクセス方式を再び閉鎖方式に配置する。
【００５７】
好ましくは、ステップ４２において上記過負荷通知メッセージにより上記第１ｅＮＢのすべてのセルに過負荷が生じると指示される場合、ＭＭＥは、更に上記対応関係に基づいて、上記第１ｅＮＢのすべてのセルに対応するＨｅＮＢを特定し、上記第１ｅＮＢのすべてのセルに対応するＨｅＮＢに上記アクセス方式配置指令を送信し、上記第１ｅＮＢのすべてのセルに対応するＨｅＮＢに対して自身のアクセス方式を開放方式又はハイブリッド方式に配置するように指示する。もちろん、上記ステップ４２における上記アクセス方式配置指令には実行時間閾値が含まれなくてもよい。ＭＭＥは、セルの過負荷復帰後に、上記と類似したフローでアクセス方式配置指令を送信し、自身のアクセス方式を再び閉鎖方式に配置するようにＨｅＮＢに指示する。
【００５８】
図５は、上記ステップ４１の上記対応関係構築を実現する具体的なフローを示す図面である。下記のステップを含む。
【００５９】
ステップ５１において、ＨｅＮＢがパワーオン・セルフテストを行ない、周波数走査調和など初期処理を行なう。
【００６０】
ステップ５２において、ＨｅＮＢはネットワーク検索操作を実行し、Ｓ１インタフェースにおいてＭＭＥと安全協議をし、安全トンネルと伝送レイヤのＳＣＴＰ（Stream Control Transmission Protocol）接続を確立し、その後のシグナリング伝送のために通路を確立しておく。
【００６１】
ステップ５３において、ＨｅＮＢはＨｅＮＢ登録要求メッセージをＭＭＥに送信する。メッセージには、自ＨｅＮＢ  ＩＤ、自ＨｅＮＢで検出したｅＮＢのセルのＥＣＧＩ及びその他の、登録フローに必要とされるパラメータが含まれる。ここで、Ｓ１確立要求メッセージを利用して、自ＨｅＮＢ  ＩＤ、自ＨｅＮＢで検出したｅＮＢのセルのＥＣＧＩなどのパラメータを伝送することもできる。
【００６２】
ステップ５４において、ＭＭＥは、ＨｅＮＢ登録要求を受信すると、その中に携帯されているＥＣＧＩからｅＮＢ  ＩＤを解析し、ｅＮＢ  ＩＤ、ＥＣＧＩ及びＨｅＮＢ  ＩＤの関係を表すテーブルを生成する。例えば、ｅＮＢ  ＩＤは複数のセルを含み、各セルはＥＣＧＩで一義的に標識され、各セルのカバレッジ内に複数のＨｅＮＢがあり、ＨｅＮＢ  ＩＤで標識される。このような関係を表すテーブルにより、ｅＮＢ、ｅＮＢのセル及びｅＮＢのセルカバレッジ内のＨｅＮＢの対応関係が構築され、その後の負荷均衡操作に用いることができる。
【００６３】
表１は上記関係を表すテーブルの一種の形式を示す。
【表１】
0005528225.tif 000002
【００６４】
ステップ５５において、ＭＭＥはＨｅＮＢ登録後に、ＨｅＮＢ登録応答メッセージをＨｅＮＢに送信し、ＥＰＣから提供されるサービスとネットワーク接続をＨｅＮＢにより使用可能であることを示す。ここで、Ｓ１確立応答メッセージを利用して、ＥＰＣから提供されるサービスとネットワーク接続を使用可能であることをＨｅＮＢに指示してもよい。
【００６５】
図５は、ＭＭＥによりｅＮＢのセルとＨｅＮＢの対応関係を構築している。本実施例においてＨＭＳでＨｅＮＢアクセス方式配置を制御する場合、ＨＭＳで上記対応関係を構築してもよい。この場合の具体的なフローは図６に示される。図６に示されているのは、ＨｅＮＢがＨＭＳに登録するフローである。ＨｅＮＢがパワーオンになってからＨＭＳに登録しなければならない。このとき、ＨｅＮＢがタイプ１インタフェースにおいてＴＲ０６９プロトコルによりＨＭＳと通信し、自ＨｅＮＢで検出したｅＮＢのセルの情報をＴＲ０６９通知要求メッセージによりＨＭＳに報告し、ＨＭＳによる上記対応関係の構築に供する。図６のステップ６１〜６５は、図５のステップ５１〜５５に対応しているため、ここでは重複記載しない。
【００６６】
上記記載から分かるように、本発明の実施例において、予めｅＮＢのセルとｅＮＢのセルカバレッジ内のＨｅＮＢとの対応関係を構築しておき、ｅＮＢのセルに過負荷が生じたときに、ＨｅＮＢのアクセス方式を変更し、ｅＮＢのセル内のＨｅＮＢを利用して負荷の分担をし、それによりネットワークの輻輳を軽減し、通信品質を向上することができる。
【００６７】
上記実施例では、コアネットワークが積極的にｅＮＢのセルの負荷状況に応じてＨｅＮＢのアクセス方式を制御している。本発明の実施例は、ＨｅＮＢ所有者の要求に応じ、ＨｅＮＢのアクセス方式に対して対応的に配置することもできる。例えば、ＨｅＮＢ所有者が、ＨｅＮＢを閉鎖方式からハイブリッド方式又は開放方式にハンドオーバし、それにより非ＣＳＧユーザによるＨｅＮＢへのアクセス許可を希望する場合、本発明の実施例のフローは、図７に示すように、下記のステップを含む。
【００６８】
ステップ７１において、第１ＨｅＮＢ所有者はユーザ設備を介してアクセス方式配置要求をＭＭＥに送信する。上記アクセス方式配置要求は、配置されようとする第１ＨｅＮＢ  ＩＤ及び第１アクセス方式などのパラメータを含み、上記第１ＨｅＮＢのアクセス方式を上記第１アクセス方式に配置するように要求する。上記第１アクセス方式はハイブリッド方式又は開放方式である。
【００６９】
ステップ７２において、ＭＭＥは、上記アクセス方式配置要求を受信すると、上記ユーザ設備に対して認証を行ない、上記ユーザ設備の認証通過後に、上記第１アクセス方式の情報が含まれるアクセス方式配置指令を上記第１ＨｅＮＢに対して送信する。
【００７０】
ステップ７３において、第１ＨｅＮＢは、上記アクセス方式配置指令を受信し、受信したアクセス方式配置指令に基づいて、自身のアクセス方式を現在の第２アクセス方式から上記第１アクセス方式に配置する。
【００７１】
ステップ７４において、第１ＨｅＮＢはＭＭＥに対して、上記第１ＨｅＮＢによる自身のアクセス方式を上記第１アクセス方式に配置することに成功したか否かを指示するための配置応答メッセージを帰還する。
【００７２】
上記ステップ７１において、ユーザ設備は、上記アクセス方式配置要求に実行時間閾値パラメータを含ませることができる。上記ステップ７２において、ＭＭＥは更に上記アクセス方式配置指令に同一の実行時間閾値パラメータを含ませ、上記第１アクセス方式における第１ＨｅＮＢの稼働時間を制御する。
【００７３】
図７のＭＭＥはＨＭＳに差し替えてもよい。このとき、ステップ７２のアクセス方式配置指令は、設定パラメータ値メッセージに差し替え、ステップ７４の配置応用メッセージは設定パラメータ値応答メッセージに差し替える。
【００７４】
上記記載から分かるように、本発明の実施例の仕組みによれば、コアネットワークがあらゆる需要時に（ｅＮＢセル過負荷及びＨｅＮＢ所有者から自らＨｅＮＢアクセス方式変更を要求することが含まれるが、それに限定されることはない）ＨｅＮＢのアクセス方式に対して制御可能になり、プロバイダーがネットワークの負荷情況とユーザの需要に応じてＨｅＮＢのアクセス方式を柔軟に配置でき、移動通信ネットワークに対するＨｅＮＢの価値を高め、ユーザの満足度を向上させることができる。また、本発明の実施例において実行時間閾値を設定することにより、ＨｅＮＢの所望アクセス方式における稼働時間を指示し、時間に達すると元のアクセス方式にハンドオーバすることができるため、コアネットワークから再び関連シグナリングを送信することを必要としないので、アクセス方式の配置処理を簡単化しており、配置過程において必要とされるシグナリングの数を軽減している。
【００７５】
上記のＨｅＮＢアクセス方式配置方法に基づき、本発明の実施例は、更にＬＴＥシステムのコアネットワークにおける設備及びＨｅＮＢを対応的に提供する。
【００７６】
図８は、本発明の実施例による、ＬＴＥシステムにおけるＨｅＮＢアクセス方式配置設備の構造を示す図面である。該設備は、ＬＴＥシステムのＥＰＣに設けられる。図８に示すように、以下の構成を含む。
【００７７】
指令送信モジュールは、ＨｅＮＢに対してアクセス方式配置指令を送信する。上記アクセス方式配置指令には第１アクセス方式の情報が含まれており、上記アクセス方式配置指令は、自身のアクセス方式を上記第１アクセス方式に配置するように上記ＨｅＮＢに指示するためのものである。
【００７８】
好ましくは、上記アクセス方式配置指令には、上記第１アクセス方式に対応する実行時間閾値が更に含まれている。上記実行時間閾値は、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置するように上記ＨｅＮＢに指示するためのものである。
【００７９】
好ましくは、図８に示す設備には、自設備に接続する各ＨｅＮＢにより検出されたｅＮＢのセルの情報に基づいて、ｅＮＢのセルとｅＮＢのセルカバレッジ内のＨｅＮＢとの対応関係を立てるための対応関係構築モジュールと、第１ｅＮＢから、第１ｅＮＢのセルに過負荷が生じることを指示するための過負荷通知メッセージを受信すると、上記対応関係に基づいて、上記第１ｅＮＢのセルに対応するＨｅＮＢを特定する過負荷処理もジュールと、を更に備える。
【００８０】
上記指令送信モジュールは更に、上記第１ｅＮＢのセルに対応するＨｅＮＢに対して上記アクセス方式配置指令を送信し、かつ、上記アクセス方式配置指令に含まれる上記第１アクセス方式の情報が開放方式又はハイブリッド方式の情報である。
【００８１】
好ましくは、図８に示す設備において、上記第１ＨｅＮＢのアクセス方式を上記第１アクセス方式に配置するように要求するためのアクセス方式配置要求をユーザ設備から受信し、上記アクセス方式配置要求を受信すると、上記ユーザ設備に対して認証を行なう配置要求処理手段を更に備える。
【００８２】
上記指令送信モジュールは更に、上記ユーザ設備の認証通過後に、上記第１アクセス方式の情報が含まれる上記アクセス方式配置指令を上記第１ＨｅＮＢに対して送信する。
【００８３】
好ましくは、図８に示す設備はＭＭＥ又はＨＭＳである。
【００８４】
図９は、本発明の実施例によるＨｅＮＢの構造を示す図面である。図９に示すように、該ＨｅＮＢにおいて、ＥＰＣの中の第１設備から、第１アクセス方式の情報が含まれるアクセス方式配置指令を受信する配置指令受信モジュールと、上記アクセス方式配置指令に基づいて自身のアクセス方式を上記第１アクセス方式に配置するアクセス方式配置モジュールとを備える。
【００８５】
好ましくは、上記アクセス方式配置指令は、上記第１設備が、ユーザ設備から自ＨｅＮＢのアクセス方式を上記第１アクセス方式に配置するように要求するためのアクセス方式配置指令を受信し、かつ上記ユーザ設備の認証通過後に、自ＨｅＮＢに送信するものである。
【００８６】
好ましくは、上記アクセス方式配置指令には、上記第１アクセス方式に対応する実行時間閾値が更に含まれている。上記アクセス方式配置モジュールは更に、上記アクセス方式配置指令に基づいて、自身のアクセス方式を現在の第２アクセス方式から上記第１アクセス方式に配置してからカウントを開始しカウント値が上記実行時間閾値に達したときに、自身のアクセス方式を上記第１アクセス方式から再び上記第２アクセス方式に配置する。
【００８７】
好ましくは、図９に示すＨｅＮＢにおいて、上記第１設備に対して、上記第１ＨｅＮＢによる自身のアクセス方式を上記第１アクセス方式に配置することに成功したか否かを指示するための配置応答メッセージを帰還するための配置応答モジュールと、セル検出モジュールを更に備える。該セル検出モジュールは、ｅＮＢのセルを検出し、検出したｅＮＢのセルの情報を上記第１設備に報告し、ｅＮＢのセルとｅＮＢのセルカバレッジ内のＨｅＮＢとの対応関係を立てるように上記第１設備に供する。上記対応関係は、第１ｅＮＢのセルに過負荷が生じるときに第１ｅＮＢに対応するＨｅＮＢを選択して上記アクセス方式配置指令を配信するように上記第１設備に供するものであり、かつ、上記アクセス方式配置指令に含まれる上記第１アクセス方式の情報が開放方式又はハイブリッド方式の情報である。
【００８８】
上記記載をまとめると、本発明実施例は、ＬＴＥシステムにおけるＨｅＮＢアクセス方式の配置方法及び設備を提供しており、ｅＮＢのセルに過負荷が生じた場合に、該ｅＮＢのセルカバレッジ内のＨｅＮＢのアクセス方式をハイブリッド方式又は開放方式に変更することにより負荷の均衡を図ることができる。また、ＨｅＮＢ所有者が自分のＨｅＮＢを柔軟に配置できるようになり、非ＣＳＧユーザが一時的にＨｅＮＢにアクセスすることを許可する。よって、本発明の実施例によれば、ハイブリッド方式と開放方式におけるＨｅＮＢの潜在力を充分に発掘し、ネットワークの価値向上に貢献しており、ｅＮＢとＨｅＮＢとを関連付けることにより、ネットワークの活力を増加している。
【００８９】
本発明の実施例に記載されているＬＴＥシステムにおけるＨｅＮＢアクセス方式配置方法及び設備は、明細書や実施形態に列挙されている応用に限定されることは無く、本発明の適合分野において充分に適用できる。当業者によって、他のメリットの実現や修正は自明である。よって、特許請求の範囲書及び同等な範囲により限定されている一般的な概念の精神や範囲を逸脱しない限り、本発明は、特定な細部、代表的な設備、及びここで示されて記載されている図示例に限定されない。
【図１】
0005528225.tif 000003
【図２】
0005528225.tif 000004
【図３】
0005528225.tif 000005
【図４】
0005528225.tif 000006
【図５】
0005528225.tif 000007
【図６】
0005528225.tif 000008
【図７】
0005528225.tif 000009
【図８】
0005528225.tif 000010
【図９】
0005528225.tif 000011